(57)【要約】【課題】燃料電池又は内燃機関に供給する液体燃料の温度を制御し、燃料電池又は内燃機関の始動性の悪化を抑制することができる燃料貯留システムを提供する。【解決手段】燃料貯留システムの制御方法は、燃料電池及び内燃機関の少なくとも一方を含むパワーユニットと、パワーユニットに供給される液体燃料が貯留される第１燃料貯留部と、第１燃料貯留部の温度を検出又は推定する温度取得部と、第１燃料貯留部に貯留された液体燃料の温度を制御する燃温制御手段と、を備える燃料貯留システムの制御方法であって、燃温制御手段は、パワーユニットの停止時に取得した第１燃料貯留部の温度に基づいて第１燃料貯留部内の液体燃料の温度を所定の温度に制御する。【選択図】図３
2019067592.tif 000002
【特許請求の範囲】
【請求項１】
燃料が供給されてエネルギー及び熱を発するパワーユニットと、
前記パワーユニットに供給する液体燃料を貯留する第１燃料貯留部と、
前記第１燃料貯留部の温度を検出又は推定する温度取得部と、
前記第１燃料貯留部に貯留された前記液体燃料の温度を制御する燃温制御手段と、を備える燃料貯留システムの制御方法であって、
前記燃温制御手段は、前記パワーユニットの停止時に取得した前記第１燃料貯留部の温度に基づいて前記第１燃料貯留部内の前記液体燃料の温度を所定の温度に制御する、
ことを特徴とする燃料貯留システムの制御方法。
【請求項２】
前記燃料貯留システムは、前記第１燃料貯留部に供給可能な液体燃料が貯留される第２燃料貯留部をさらに備え、
前記第１燃料貯留部の温度が前記所定の温度に達した場合に、前記第２燃料貯留部に貯留されている液体燃料を前記第１燃料貯留部へ供給することにより前記液体燃料の温度を制御する、
ことを特徴とする請求項１に記載の燃料貯留システムの制御方法。
【請求項３】
さらに、前記パワーユニットの起動時に、前記第１燃料貯留部に貯留されている液体燃料を当該パワーユニットに供給する、
ことを特徴とする請求項１又は２に記載の燃料貯留システムの制御方法。
【請求項４】
さらに、前記パワーユニットの起動時に前記第１燃料貯留部の温度が前記所定の温度となった場合は、前記第１燃料貯留部に貯留された液体燃料量を所定量以下にする、
ことを特徴とする請求項１から３のいずれか一項に記載の燃料貯留システムの制御方法。
【請求項５】
前記第１燃料貯留部を前記パワーユニットの作動により生じる熱により加熱する、
ことを特徴とする請求項１から４のいずれか一項に記載の燃料貯留システムの制御方法。
【請求項６】
前記第１燃料貯留部を前記パワーユニットから排出される排気の排気熱により加熱する、
ことを特徴とする請求項５に記載の燃料貯留システムの制御方法。
【請求項７】
前記燃料貯留システムは、ヒータをさらに備え、
前記第１燃料貯留部は、前記ヒータの熱により加熱する、
ことを特徴とする請求項１から６のいずれか一項に記載の燃料貯留システムの制御方法。
【請求項８】
前記第１燃料貯留部は、燃料貯留用の容器、前記パワーユニットに前記液体燃料が供給される際の流路となる燃料配管内の領域、又は、前記パワーユニット内において、前記液体燃料が供給される燃料消費部までの流路となる内部配管内の領域を含む、
ことを特徴とする請求項１から６のいずれか一項に記載の燃料貯留システムの制御方法。
【請求項９】
前記第１燃料貯留部と前記パワーユニットとが断熱材で覆われている、
ことを特徴とする請求項１から７のいずれか一項に記載の燃料貯留システムの制御方法。
【請求項１０】
前記第１燃料貯留部の少なくとも一部が断熱材で覆われている、
ことを特徴とする請求項１から７のいずれか一項に記載の燃料貯留システムの制御方法。
【請求項１１】
前記第１燃料貯留部は、燃料貯留用の容器と、前記パワーユニットに前記液体燃料が供給される際の流路となる燃料配管内の領域と、前記パワーユニット内において、前記液体燃料が消費されるまでの流路となる内部配管内の領域とを含んで構成され、
前記燃温制御手段によって、前記内部配管内の前記液体燃料を前記燃料配管又は前記容器へ移動させることにより、前記第１燃料貯留部に貯留された前記液体燃料の温度を制御する、
ことを特徴とする請求項１から１０のいずれか一項に記載の燃料貯留システムの制御方法。
【請求項１２】
前記第１燃料貯留部は、燃料貯留用の容器と、前記パワーユニットに前記液体燃料が供給される際の流路となる燃料配管内の領域と、前記パワーユニット内において、前記液体燃料が消費されるまでの流路となる内部配管内の領域とを含んで構成され、
前記燃温制御手段によって、前記燃料配管内の前記液体燃料を前記容器又は前記内部配管へ移動させることにより、前記第１燃料貯留部に貯留された前記液体燃料の温度を制御する、
ことを特徴とする請求項１から１１のいずれか一項に記載の燃料貯留システムの制御方法。
【請求項１３】
前記第１燃料貯留部は、燃料貯留用の容器と、前記パワーユニットに前記液体燃料が供給される際の流路となる燃料配管内の領域と、前記パワーユニット内において、前記液体燃料が消費されるまでの流路となる内部配管内の領域とを含んで構成され、
前記燃温制御手段によって、前記容器内の前記液体燃料を前記燃料配管又は前記内部配管へ移動させることにより、前記第１燃料貯留部に貯留された前記液体燃料の温度を制御する、
ことを特徴とする請求項１から１２のいずれか一項に記載の燃料貯留システムの制御方法。
【請求項１４】
燃料電池及び内燃機関の少なくとも一方を含むパワーユニットと、
前記パワーユニットに供給される液体燃料が貯留される第１燃料貯留部と、
前記第１燃料貯留部の温度を検出又は推定する温度取得部と、
前記第１燃料貯留部に貯留された前記液体燃料の温度を制御する燃温制御装置と、を備え、
前記燃温制御装置は、前記パワーユニットの停止時に取得した前記第１燃料貯留部の温度に基づいて前記第１燃料貯留部内の前記液体燃料の温度を所定の温度に制御する、
ことを特徴とする燃料貯留システム。
【発明の詳細な説明】
【技術分野】
【０００１】
本発明は、燃料貯留システムの制御方法、および燃料貯留システムに関する。
【背景技術】
【０００２】
燃料電池等に供給する液体燃料が貯留される燃料貯留システムにおいて、外気温の影響などにより燃料の温度が低下するのに伴い燃料の粘性が増加することがある。この粘性の増加により、燃料の噴霧性状が悪化し、燃料電池の始動性が悪化する等の問題が引き起こされていた。
【０００３】
ここで、燃料タンクと、燃料タンクの下面に接する空間とを断熱材で覆うとともに、該空間に燃料電池からの排気を流通させることにより、排気の持つ熱によって燃料を加熱する燃料電池システムが提案されている（特許文献１参照）。
【先行技術文献】
【特許文献】
【０００４】
【特許文献１】特開２００６−２６０９９６号公報
【発明の概要】
【発明が解決しようとする課題】
【０００５】
しかしながら、特許文献１に開示された燃料電池システムは、燃料電池の作動中に発生する排気熱によって液体燃料を加熱するという構成であり、燃料電池の起動時に用いられる液体燃料の温度については考慮されていない。したがって、当該燃料電池システムでは、液体燃料が低温であることに起因する燃料電池の始動性の悪化を抑制することができない場合がある。
【０００６】
本発明は、燃料電池又は内燃機関に供給する液体燃料の温度を制御し、燃料電池又は内燃機関の始動性の悪化を抑制することができる燃料貯留システムを提供することを目的とする。
【課題を解決するための手段】
【０００７】
本発明の一態様による燃料貯留システムの制御方法は、燃料電池及び内燃機関の少なくとも一方を含むパワーユニットと、パワーユニットに供給される液体燃料が貯留される第１燃料貯留部と、第１燃料貯留部の温度を検出又は推定する温度取得部と、第１燃料貯留部に貯留された液体燃料の温度を制御する燃温制御手段と、を備える燃料貯留システムの制御方法であって、燃温制御手段は、パワーユニットの停止時に取得した第１燃料貯留部の温度に基づいて第１燃料貯留部内の液体燃料の温度を所定の温度に制御する。
【発明の効果】
【０００８】
本発明によれば、パワーユニットの停止時において液体燃料の温度が所定の温度に制御される。そのため、パワーユニットの起動時に前回停止時において所望の温度に制御された液体燃料を用いることができるので、パワーユニットの始動性の悪化を抑制することができる。
【図面の簡単な説明】
【０００９】
【図１】図１は、第１実施形態の燃料貯留システムの主要構成を示す概略構成図である。
【図２】図２は、燃料貯留部が加熱される態様を説明するための図である。
【図３】図３は、第１実施形態の燃温制御処理を示すフローチャートである。
【図４】図４は、燃温制御処理を示すタイムチャートである。
【図５】図５は、第１実施形態の変形例１にかかる燃料貯留システムの概略構成図である。
【図６】図６は、第１実施形態の変形例２にかかる燃料貯留システムの概略構成図である。
【図７】図７は、第１実施形態の変形例３にかかる燃料貯留システムの概略構成図である。
【図８】図８は、第１実施形態の変形例４にかかる燃料貯留システムの概略構成図である。
【図９】図９は、第１実施形態の変形例５にかかる燃料貯留システムの概略構成図である。
【図１０】図１０は、第２実施形態の燃温制御処理を示すフローチャートである。
【図１１】図１１は、燃温制御処理の他の制御例を示すタイムチャートである。
【発明を実施するための形態】
【００１０】
以下、図面を参照し、本発明の実施形態について説明する。
【００１１】
−第１実施形態−
図１は、第１実施形態による燃料貯留システム１００の主要構成を示す概略構成図である。以下に説明する燃料貯留システム１００は、液体燃料を消費する燃料電池を搭載する車両に適用される。図１に示すとおり、燃料貯留システム１００は、コントローラ１と、燃料電池１０と、第１燃料貯留部２０と、温度センサ２１と、第２燃料貯留部３０と、燃料配管４０と、吐出配管５０と、開閉弁５１と、供給配管６０と、ポンプ６１とから構成される。
【００１２】
コントローラ１は、例えば、中央演算装置（ＣＰＵ）、読み出し専用メモリ（ＲＯＭ）、ランダムアクセスメモリ（ＲＡＭ）、および、入出力インタフェース（Ｉ／Ｏインタフェース）から構成される。コントローラ１は、特に車両システムの停止時において、燃料貯留部２０に貯留する液体燃料の温度を制御するようにプログラムされている。より具体的には、コントローラ１は、パワーユニット１０の熱を利用して、取得した第１燃料貯留部２０内の温度に基づき、燃料電池１０、開閉弁５１、及びポンプ６１等を適宜制御することにより、第１燃料貯留部２０内の液体燃料の温度を制御する。詳細は後述する。なお、コントローラ１およびパワーユニット１０は燃料貯留部２０内の温度を制御する燃温制御装置として機能する。
【００１３】
パワーユニット１０は、後述する燃料貯留部２０または燃料貯留部３０に貯留された液体燃料が供給されてエネルギー及び熱を発する発熱体であって、本実施形態においては燃料電池１０ａが含まれる。
【００１４】
燃料電池１０ａは、電解質材料と、２つの極（アノード極、カソード極）と、セパレータとにより構成されるセルが複数積み重ねられたいわゆる燃料電池スタックがケースに収容されて構成される。燃料電池１０ａは、液体燃料を改質して得られる燃料ガス（水素ガス、又はアノードガスとも呼ばれる）、及び、酸化剤ガス（カソードガス）の供給を受けて発電する。燃料電池１０ａが発電した電力は、例えば、燃料貯留システム１００が電動車両に適用される場合は、不図示の蓄電装置（二次電池）やモータ等に供給される。
【００１５】
なお、燃料電池１０ａにおいて燃料を消費するために必要な機器、例えば液体燃料を燃料ガスに改質するために必要となる改質器等の補機類については図示していないが、本実施形態ではこれらもパワーユニット１０内に配置されているものとする。
【００１６】
燃料貯留部２０は、主に、後述する液体燃料温度制御処理によって加熱するための液体燃料が貯留される燃料貯留用の容器である。燃料貯留部２０は、燃料配管４０を介してパワーユニット１０と接続されており、パワーユニット１０の作動により生じる熱により加熱される。すなわち、燃料貯留部２０内に液体燃料を貯留させることによって、燃料貯留部２０内の液体燃料をパワーユニット１０からの受熱により加熱することができる。本実施形態の液体燃料は、燃料電池１０ａが固体酸化形燃料電池(SOFC; Solid Oxide Fuel Cell)により実現される場合は、所定の濃度のアルコール（例えばエタノール）である。
【００１７】
燃料貯留部２０は、図１に示すとおり、後述する燃料貯留部３０とは別個に設けられた燃料貯留用の容器を主の構成とするが、当該容器内の空間だけに限られない。すなわち、本実施形態においては、当該容器から燃料電池１０ａにおいて液体燃料が消費される場所までの流路も燃料貯留部２０の一部と見なしても良い。燃料貯留部２０は、燃料貯留用の容器だけではなく、当該容器からパワーユニット１０に液体燃料が供給される際の流路となる燃料配管４０内の領域（空間）、及び、パワーユニット１０内において液体燃料が消費されるまでの流路となる内部配管１１内の領域のいずれか一つ以上を含んで構成されると定義してもよい。なお、内部配管１１は、燃料電池１０ａ内における液体燃料の流路、すなわち、例えば燃料電池１０ａ内部の燃料配管、燃焼器（ＥＨＣ）、及び、インジェクタの噴射口（燃料消費部）までの内部の領域を含むものとする。
【００１８】
図２は、燃料貯留部２０がパワーユニット１０の作動により生じる熱で加熱される態様を説明するための図である。図示する矢印（ａ）が示すように、燃料貯留部２０の容器部分は、パワーユニット１０の近傍に配置されることにより、パワーユニット１０から発せられる熱を受けて加熱される。
【００１９】
また、燃料配管４０は、その一方の端部がパワーユニット１０に接続されており、燃料配管４０と近接するので、矢印（ｂ）が示すように、パワーユニット１０の側面からの熱を受けて加熱される。また、燃料配管４０は、その端部がパワーユニット１０と接続しているので、当該接続部分を介してパワーユニット１０の熱が直接的に伝達することによっても加熱される。
【００２０】
さらに、内部配管１１は、パワーユニット１０の内部に位置しているので、矢印（ｃ）が示すように、パワーユニット１０の熱が直接的に伝わることにより加熱される。
【００２１】
このように、燃料貯留部２０は、パワーユニット１０の近傍ないし内部に配置され、パワーユニット１０の作動により生じる熱を直接又は間接的に受熱可能に構成されるので、燃料貯留部２０内に貯留された液体燃料はパワーユニット１０の熱により効率的に加熱されることができる。図１に戻って以下説明を続ける。
【００２２】
温度センサ２１は、温度を計測可能なセンサである。温度センサ２１は、燃料貯留部２０の内壁に設けられ、燃料貯留部２０内の温度を計測する。計測された温度情報は、コントローラ１へ出力される。なお、温度センサ２１は、燃料貯留部２０だけでなく、その内部に貯留される液体燃料の温度を計測可能にも構成されてよい。したがって、燃料貯留部２０内に貯留された液体燃料が少量であっても当該液体燃料の温度を計測可能なように、燃料貯留部２０内壁の下部に設けられるのがより好ましい。また、温度センサ２１は、図示するように燃料貯留部２０の容器部分内に配置されるだけでなく、別個に、或いは代えて、燃料配管４０内、又は、内部配管１１内に配置されてもよい。ただし、燃料貯留部２０内の温度は必ずしも温度センサ２１を用いて取得される必要はなく、停止シーケンスを開始してからの時間等に基づき推定されてもよい（後述する図１１等参照）。
【００２３】
燃料貯留部３０は、燃料貯留部２０とは別個に設けられた燃料貯留用の容器である。燃料貯留部３０は、燃料貯留部２０と吐出配管５０及び供給配管６０を介して接続されるとともに、図示しないが、パワーユニット１０に液体燃料を供給するための燃料配管を介してパワーユニット１０と接続されている。本実施形態では、車両の通常走行時における燃料電池１０ａが使用する液体燃料は燃料貯留部３０に貯留された液体燃料を用いるものとする。
【００２４】
つまり、液体燃料は、通常、燃料貯留部３０に貯留されており、液体燃料の温度を制御するために当該液体燃料を加熱する際には、燃料貯留部３０に貯留されている液体燃料を燃料貯留部２０へ供給する。また、燃料貯留部２０に貯留された液体燃料の加熱を止めたい時には、パワーユニット１０からの受熱を回避するために、燃料貯留部２０に貯留されている液体燃料を燃料貯留部３０へ吐出させる。なお、以下では、通常走行中に使用される液体燃料が貯留される燃料貯留部３０をメイン貯留部３０とも称し、主に燃料加熱用に用いられる燃料貯留部２０をサブ貯留部２０とも称する。
【００２５】
吐出配管５０は、燃料貯留部２０に貯留された液体燃料が燃料貯留部３０内に吐出される際の流路となる配管である。本実施形態の燃料貯留部３０は、燃料貯留部２０よりも下方に配置されており、かつ、吐出配管５０は開閉弁５１を備えている。開閉弁５１は、コントローラ１によって開閉制御可能に構成される。また、吐出配管５０は、燃料貯留部２０の底面に接するように接続される。従って、開閉弁５１を開弁することにより、燃料貯留部２０内の液体燃料を重力によって燃料貯留部３０へ吐出させることができる。
【００２６】
供給配管６０は、燃料貯留部３０に貯留された液体燃料が燃料貯留部２０に供給される際の流路となる配管である。そして、供給配管６０の燃料貯留部３０側の端部にはポンプ６１が接続されている。ポンプ６１はコントローラ１によって制御可能に構成される。これにより、燃料貯留部３０内の液体燃料を供給配管６０を介して燃料貯留部２０へ圧送することができる。
【００２７】
例えばこのような態様で、燃料貯留部２０と燃料貯留部３０とが吐出配管５０と供給配管６０とを介して接続されることにより、燃料貯留部２０と燃料貯留部３０との間で液体燃料を相互に移動させることが可能となる。これにより、液体燃料の温度を所望の温度に制御することができる。以下では、液体燃料の温度を制御するために実行される液体燃料温度制御処理（燃温制御処理）の詳細について説明する。
【００２８】
＜燃温制御処理＞
図３は、本実施形態における燃温制御処理の流れを示すフローチャートである。燃温制御処理は、コントローラ１において実行されるようにプログラムされている。
【００２９】
ステップＳ１では、コントローラ１が、パワーユニット１０、すなわち本実施形態においては燃料電池１０ａの停止シーケンスが開始されたか否かを判定する。停止シーケンスは、ドライバによる車両を停車（駐車）させようとする停止操作に基づいて開始され、最終的に燃料電池１０ａの発電を完全停止させるための処理である。
【００３０】
停止シーケンスが開始されたか否かは、最終的に燃料電池１０ａの発電を停止させるための停止動作が開始されたか否かを検知することにより判定される。停止シーケンスの開始は、例えば、ドライバの停止意志に基づくキー操作により車両システムをＯＦＦした場合に、燃料電池１０ａに対する停止指令が生成されたか否かによって判定することができる。また例えば、燃料電池１０ａの発電を停止するための具体的な処理、例えばアノード極への燃料ガスの供給を絞るための処理が実行されたか否かによって判定されてもよい。
【００３１】
停止シーケンスが開始されたと判定された場合は、続くステップＳ２の処理が実行される。一方、停止シーケンスが開始されていない場合は、停止シーケンスが開始されるまで、ステップＳ１の処理が一定のサイクルで繰り返し実行される。
【００３２】
ステップＳ２では、コントローラ１が、燃料貯留部２０の温度Ｔｇを取得する。なお、上述したとおり、車両の定常時（通常走行時）に使用される液体燃料は燃料貯留部３０に貯留されているので、このタイミングにおける燃料貯留部２０は原則空である。したがって、コントローラ１は、温度センサ２１が計測した燃料貯留部２０の内壁の温度を取得する。
【００３３】
ステップＳ３では、コントローラ１が、燃料貯留部２０に液体燃料を貯留可能か否か判定するためにステップＳ２で取得した温度Ｔｇと予め定めた所定値である貯留部上限温度Ｔｓ１とを比較する。貯留部上限温度Ｔｓ１（以下単に上限温度Ｔｓ１と称する）は、液体燃料の沸点とほぼ同等に設定される。
【００３４】
燃料貯留部２０の温度が液体燃料の沸点より高ければ、燃料貯留部２０に液体燃料を供給した際に、燃料貯留部２０に接触した液体燃料が急激に沸騰する等してタンクを損傷させる虞がある。このような虞を回避するため、本実施形態では、燃料貯留部２０へ液体燃料を供給できる燃料貯留部２０の上限温度を液体燃料の沸点近傍の温度に設定し、Ｔｇ＜Ｔｓ１が成立する場合にのみ液体燃料を燃料貯留部２０へ供給する。
【００３５】
燃料貯留部２０の温度が上限温度Ｔｓ１より小さく、Ｔｇ＜Ｔｓ１が成立する場合は、液体燃料が沸騰する虞がないので、液体燃料を燃料貯留部２０へ貯留するために続くステップＳ４の処理が実行される。
【００３６】
燃料貯留部２０の温度が上限温度Ｔｓ１より大きく、Ｔｇ＜Ｔｓ１が成立しない場合は、燃料貯留部２０の温度が上限温度Ｔｓ１より小さくなるまで、ステップＳ２及びＳ３の処理を繰り返し実行する。
【００３７】
なお、上述したとおり、本処理の時点において停止シーケンスは既に開始されているので、ステップＳ２及びＳ３の処理が繰り返し実行される間にアノード極への燃料ガスの供給量が徐々に低減するとともに発電量が小さくなり、それに応じて発熱量も小さくなる。したがって、ステップＳ２及びＳ３の処理が繰り返し実行される間に燃料貯留部２０の温度は徐々に低下していく。
【００３８】
ステップＳ４では、コントローラ１が、燃料貯留部２０への液体燃料の貯留を開始する。具体的には、コントローラ１は、ポンプ６１を制御することにより、燃料貯留部３０から燃料貯留部２０への液体燃料の圧送を開始する。
【００３９】
ステップＳ５では、コントローラ１が、燃料貯留部２０へ貯留された液体燃料量Ｖａが、規定量Ｖｍａｘに達したか否かを判定する。規定量Ｖｍａｘは、燃料貯留部２０の最大容量を上限として適宜設定される。本実施形態における規定量Ｖｍａｘは、例えば、燃料貯留部２０の最大容量の８０％の容量に設定される。液体燃料量Ｖａが規定量Ｖｍａｘ以上となり、Ｖａ≧Ｖｍａｘが成立する場合は、燃料貯留部２０への液体燃料の貯留を止めるために、続くステップＳ６の処理が実行される。液体燃料量Ｖａが規定量Ｖｍａｘ以下であり、Ｖａ≧Ｖｍａｘが成立しない場合は、コントローラ１は、液体燃料の燃料貯留部２０への圧送を続けるとともに、ステップＳ５の処理を繰り返し実行する。
【００４０】
ステップＳ６では、コントローラ１が、燃料貯留部２０への液体燃料の貯留を停止する。
【００４１】
ステップＳ７では、コントローラ１が、温度センサ２１が計測した温度Ｔｇを取得する。なお、本ステップ時点では燃料貯留部２０には液体燃料が充分に貯留されている。したがって、燃料貯留部２０の内壁下部に配置された温度センサ２１は、液体燃料に浸漬しているので、液体燃料の温度を計測することができる。したがって、本ステップでは、コントローラ１は、温度センサ２１が計測した燃料貯留部２０内の液体燃料の温度を取得する。コントローラ１は、燃料貯留部２０内の液体燃料の温度を取得した後、ステップＳ８の処理を実行する。
【００４２】
ステップＳ８では、コントローラ１が、燃料貯留部２０へ貯留した液体燃料の加熱を継続するか否かを判定するために、ステップＳ７で取得した温度Ｔｇと予め定めた所定値である目標温度Ｔｓ２とを比較する。目標温度Ｔｓ２は、液体燃料の沸点以下での所望の温度（加熱目標温度）が適宜設定される。本実施形態の目標温度Ｔｓ２は、沸点より若干低い温度、例えば沸点の８０％に相当する温度に設定される。すなわち、本実施形態においては、目標温度Ｔｓ２＜Ｔｓ１となる。
【００４３】
液体燃料の温度Ｔｇが目標温度Ｔｓ２を上回り、Ｔｇ＞Ｔｓ２が成立する場合は、液体燃料の加熱を停止するために続くステップＳ９の処理が実行される。液体燃料の温度Ｔｇが目標温度Ｔｓ２に達しておらず、Ｔｇ≦Ｔｓ２が成立する場合は、液体燃料の加熱を継続するためにステップＳ１０の処理が実行される。
【００４４】
ステップＳ１０では、コントローラ１が、燃料貯留部２０に貯留された液体燃料を加熱するために、燃料電池１０ａの作動を継続させる。具体的には、例えば、コントローラ１は、停止シーケンスの開始によって徐々に低減されていたアノード極への燃料ガスの供給量をこれ以上低減させずに維持する。これにより、燃料電池１０ａの発熱量が維持されるので、燃料電池１０ａの熱による燃料貯留部２０の加熱が継続され、結果として液体燃料を加熱することができる。
【００４５】
なお、燃料電池１０ａの温度が液体燃料の温度よりも十分高く、停止シーケンスを継続してもなお液体燃料を加熱するのに十分な熱量を保持している場合は、ステップＳ１０では何もせずに停止シーケンスを継続させても良い。この場合は、ステップＳ７、Ｓ８及びＳ１０の処理を繰り返し実行することによる時間経過によって液体燃料をさらに加熱することができる。一方で、コントローラ１は、アノード極への燃料ガスの供給量を増加させてもよい。これにより、燃料電池１０ａの発熱量が増加するので、結果として、燃料貯留部２０内の液体燃料をより速く加熱することができる。ステップＳ１０においていずれかの処理がなされた後、コントローラ１は、ステップＳ７及びＳ８を再度実行する。
【００４６】
ステップＳ９では、燃料貯留部２０内の液体燃料の温度Ｔｇが目標温度Ｔｓ２に達したので、コントローラ１は、液体燃料の加熱を停止する。具体的には、コントローラ１は、アノード極への燃料ガスの供給を完全に停止させて、燃料電池１０ａの発電を完全停止させる。これにより、燃料電池１０の停止シーケンスが終了するとともに、燃温制御処理が終了する。
【００４７】
このような燃温制御処理が実行されることによって、パワーユニット１０の停止後において、従来放熱されていたパワーユニット１０の熱を燃料貯留部２０を介して液体燃料に蓄熱することができる。
【００４８】
以上説明した停止シーケンスに係る燃温制御処理の制御結果の一例について図４を用いて説明する。
【００４９】
図４は、燃温制御処理を説明するためのタイムチャートである。横軸は時間ｔを表し、縦軸は燃料貯留部２０内の温度と液体燃料量を表している。また、実線は燃料貯留部２０の温度変化の一例、点線は燃料貯留部２０内の液体燃料量の変化の一例を表している。なお、図中のＴｓは、液体燃料の沸点を表している。ただし、本実施形態におけるＴｓ１、Ｔｓ２、及びＴｓ３は、Ｔｓと若干相違していることを上述したが、本タイムチャートにおいてはＴｓと同一の温度として示している。
【００５０】
なお、時刻ｔ１、ｔ２を含む図の左側に示す起動シーケンス中の処理については第２実施形態の説明時に後述する。すなわち、本実施形態に係る燃料貯留システム１００の制御方法は、図４の時刻ｔ３以降の処理を対象とするものであり、図４に示す時刻ｔ１〜ｔ３の処理は参考のための図示であって、本実施形態の制御方法をこれに限定する趣旨ではない。
【００５１】
時刻ｔ３において、停止シーケンスが開始される。この時、燃料貯留部２０内に液体燃料は貯留されていない。また、時刻ｔ３以降では、停止シーケンスが進行し、燃料電池１０ａの発電量及び発熱量が低下するのに応じて、燃料貯留部２０の温度も低下していく。
【００５２】
時刻ｔ４では、燃料貯留部２０の温度が上限温度Ｔ２を下回ったため、液体燃料が沸騰する虞がないと判断されて、燃料貯留部２０に液体燃料が貯留され始める。
【００５３】
時刻ｔ４以降、燃料貯留部２０に貯留された液体燃料量が上昇していき、時刻ｔ５において燃料貯留部２０内の液体燃料量は上限に達する（ステップＳ６参照）。
【００５４】
そして、時刻ｔ５からｔ６にかけて、燃料電池１０ａの熱によって、燃料貯留部２０内の液体燃料の温度が沸点近傍になるまで加熱される（ステップＳ１０参照）。
【００５５】
燃料貯留部２０内の液体燃料の温度がこのように制御されることにより、車両が停車した後、燃料電池１０ａを再度起動する際には、燃料貯留部２０に貯留され、車両停止時に温度制御された高温の液体燃料を使用することができる。これにより、液体燃料が低温であるために粘性が増加することに起因した始動性の悪化を抑制することができるので、燃料電池１０ａの始動特性を改善することができる。
【００５６】
以上、第１実施形態の燃料貯留システム１００の制御方法であって、特に、燃料電池の停止時に実行される燃温制御処理の詳細について説明した。以下では、燃料貯留システム１００の主に構成に関する変形例について説明する。本実施形態の燃料電池システム１００は以下の変形例１〜６を含む。
【００５７】
＜変形例１＞
図５は、燃料貯留システム２００を説明するための図である。燃料貯留システム２００は、排気ライン２０１を備え、パワーユニット１０から排出される排気熱により燃料貯留部２０を加熱することができる。
【００５８】
具体的には、例えばパワーユニット１０が燃料電池１０ａであれば、燃料電池１０ａの発電後に排出されるアノードオフガス及びカソードオフガスは高温であり、さらに、不図示の排気燃焼器によってアノードオフガス及びカソードオフガスを燃焼させた後の燃焼ガスも高温となる。したがって、これらの排気が車外へ排出される際の流路となる排気ライン２０１を燃料貯留部２０の近傍を通るように配置することによって、燃料電池１０ａの排気熱を用いて燃料貯留部２０を加熱することができる。
【００５９】
このような構成を有する燃料貯留システム２００においても、上述した燃温制御処理を実行することによって、パワーユニット１０の停止時に、従来捨てられていた排気熱を燃料貯留部２０を介して液体燃料に蓄熱することができる。
【００６０】
＜変形例２＞
図６は、燃料電池システム３００を説明するための図である。燃料貯留システム３００は、ヒータ３０１を備え、ヒータ３０１の熱により燃料貯留部２０を加熱することができる。なお、図示していないが、ヒータ３０１の出力はコントローラ１によって制御可能に構成される。
【００６１】
このような構成を有する燃料貯留システム３００によれば、パワーユニット１０の停止時においても、燃料貯留部２０に貯留された液体燃料を加熱することができる。したがって、例えば、図３を用いて説明した燃温制御処理のステップＳ１０において液体燃料を加熱する際には、上述したように停止シーケンスを止める必要は必ずしもなく、停止シーケンスを通常の手順で完了させつつ、ヒータ３０１を用いて液体燃料を所望の温度（目標温度Ｔｓ２）に加熱することができる。すなわち、停止シーケンスの処理速度をより好適に維持しつつ、液体燃料の加熱を実行することができる。また、複数のヒータ３０１を適宜配置することにより、加熱したい部分を自由に設定することができる。なお、変形例２においては、コントローラ１およびヒータ３０１は燃料貯留部２０内の温度を制御する燃温制御装置として機能する。
【００６２】
＜変形例３＞
図７は、燃料貯留システム４００を説明するための図である。燃料貯留システム４００は、燃料貯留部２０が、燃料貯留用の容器、当該容器からパワーユニット１０に液体燃料が供給される際の流路となる燃料配管４０内の領域、及び、パワーユニット１０内において液体燃料が消費される燃料消費部までの流路となる内部配管１１内の領域のうちの少なくとも二つ以上から構成される場合に、燃料貯留部２０内の各部に貯留された加熱された液体燃料を、燃料貯留部２０内で移動可能に構成される。移動させる手段は特に限定しないが、例えば燃料配管４０内にコントローラ１によって制御可能なスクリューを設けること等により実現することができる。
【００６３】
このように構成される燃料貯留システム４００によれば、燃料貯留部２０内の液体燃料を、例えば、内部配管１１内から燃料配管４０内又は容器内へ、容器内から燃料配管４０内又は内部配管１１内へ、或いは、燃料配管４０内から容器内又は内部配管１１内へ、適宜移動させることができる。これにより、燃料貯留部２０が加熱される際に生じる燃料貯留部２０内における熱の偏在を抑制し、燃料貯留部２０内の液体燃料の温度をより均一にすることができる。また、熱源に最も近く、最も高温な液体燃料（本例においては内部配管１１内の燃料）を、熱源から遠い部分へ素早く移送させることができるので、燃料貯留部２０内の液体燃料をより効率よく全体的に加熱することができる。
【００６４】
＜変形例４＞
図８は、燃料貯留システム５００を説明するための図である。燃料貯留システム５００は、燃料貯留部２０とパワーユニット１０とが断熱材５０１に覆われるように構成される。
【００６５】
断熱材５０１は、化学的性質或いは物理的構造により熱移動、熱伝達を妨げる公知の材料或いは構造体である。燃料貯留部２０とパワーユニット１０とが断熱材５０１に覆われることにより、断熱材５０１に覆われた空間の内部と外部との熱移動が遮断あるいは減少される。
【００６６】
このような構成を有する燃料貯留システム５００によれば、燃料貯留部２０内に貯留された液体燃料をより効率的に加熱することができ、かつ、加熱された液体燃料の温度をより長く保持することができる。
【００６７】
＜変形例５＞
図９は、燃料貯留システム６００を説明するための図である。燃料貯留システム６００は、燃料貯留部２０の少なくとも一部が断熱材５０１に覆われるように構成される。
【００６８】
例えば、燃料貯留システム６００は、図９（ａ）のように、燃料貯留部２０全体を断熱材５０１が覆うように構成されてもよいし、図９（ｂ）のように、燃料貯留部２０においてパワーユニット１０側の側面以外の部分を断熱材５０１が覆うように構成されてもよい。すなわち、燃料貯留部２０を覆う断熱材５０１の範囲は、所望の断熱効果を実現するように適宜調整されてよい。
【００６９】
このような構成を有する燃料貯留システム６００によれば、燃料貯留部２０においてより加熱効率の高いパワーユニット１０側の部分で加熱された液体燃料を、燃料貯留部２０において断熱材５０１で覆われた断熱性のより高い容器部分において、当該液体燃料の温度をより長く保持しながら貯留し続けることができる。
【００７０】
＜変形例６＞
また、燃料貯留システム１００〜６００が備えるパワーユニット１０は、上記の燃料電池１０ａである必要は必ずしもない。パワーユニット１０は、液体燃料を消費して発熱する発熱体であればよく、例えば内燃機関（エンジン）１０ｂでもよい。内燃機関（エンジン）２０ｂは、内部で液体燃料を燃焼させて動力を取り出す機関である。内燃機関２０ｂの動力は、例えば、燃料貯留システム１００がシリーズ方式のハイブリッド車両に適用される場合は、不図示の発電機を回転駆動させるための駆動源となる。
【００７１】
なお、パワーユニット１０に内燃機関１０ｂが含まれる場合は、燃料貯留部２０には液体燃料としてのガソリンが貯留される。また、その場合は、上述の燃温制御処理において燃料貯留部２０の温度の指標となるＴｓ１及びＴｓ２は、ガソリンの沸点を基準として設定される。
【００７２】
以上、第１実施形態、及び、変形例１〜５の燃料貯留システム１００〜６００の制御方法は、燃料が供給されてエネルギー及び熱を発するパワーユニット１０と、パワーユニット１０に供給する液体燃料を貯留する第１燃料貯留部（燃料貯留部２０）と、燃料貯留部２０の温度を検出又は推定する温度取得部（温度センサ２１）と、燃料貯留部２０に貯留された液体燃料の温度を制御する燃温制御手段（コントローラ１）と、を備える燃料貯留システム１００〜６００の制御方法であって、コントローラ１は、パワーユニット１０の停止時に取得した燃料貯留部２０の温度に基づいて燃料貯留部２０内の液体燃料の温度を所定の温度（Ｔｓ２）に制御する。これにより、パワーユニット１０の起動時に、パワーユニット１０の停止後において所望の温度に制御された液体燃料を用いることができるので、パワーユニット１０の始動性の悪化を抑制することができる。
【００７３】
また、第１実施形態、及び、変形例１〜５の燃料貯留システム１００〜６００の制御方法によれば、燃料貯留システム１００〜６００は、燃料貯留部２０に供給可能な液体燃料が貯留される燃料貯留部３０をさらに備え、燃料貯留部２０の温度が所定の温度（Ｔｓ１）に達した場合に、燃料貯留部３０に貯留されている液体燃料を燃料貯留部２０へ供給することにより液体燃料の温度を制御する。これにより、燃料貯留部２０内の液体燃料が所定の温度を大きく超えることを防止することができるので、液体燃料が沸騰する等して燃料貯留部２０を損傷すること等を開始することができる。
【００７４】
また、第１実施形態、及び、変形例１〜５の燃料貯留システム１００〜６００の制御方法によれば、パワーユニット１０の起動時に燃料貯留部２０に貯留されている液体燃料を、パワーユニット１０に供給する。これにより、停止時に温度制御された液体燃料がパワーユニット１０の起動時に確実に使用されるので、パワーユニットの始動特性を改善することができる。
【００７５】
また、第１実施形態、及び、変形例１〜５の燃料貯留システム１００〜６００の制御方法によれば、燃料貯留部２０は、パワーユニット１０の作動により生じる熱により加熱される。これにより、停止時におけるパワーユニット１０の熱によって液体燃料を加熱することができるので、パワーユニット１０の停止時において従来放熱されていた熱を液体燃料に蓄熱することができる。
【００７６】
また、第１実施形態の変形例１に係る燃料貯留システム２００の制御方法によれば、燃料貯留部２０は、パワーユニット１０から排出される排気の排気熱により加熱されてもよい。これにより、停止時におけるパワーユニット１０の排気熱によって液体燃料を加熱することができるので、パワーユニット１０の停止時において従来放熱されていた熱を液体燃料に蓄熱することができる。
【００７７】
また、第１実施形態の変形例２に係る燃料貯留システム３００の制御方法によれば、燃料貯留システム１００〜６００は、ヒータ３０１をさらに備え、燃料貯留部２０は、ヒータ３０１からの受熱により加熱される。これにより、パワーユニット１０とは別個の熱源を用いて液体燃料の温度を制御することができるので、液体燃料に対して、より自由度の高い温度制御が可能となる。
【００７８】
また、第１実施形態の変形例３に係る燃料貯留システム４００の制御方法によれば、燃料貯留部２０は、燃料貯留用の容器、パワーユニット１０に液体燃料が供給される際の流路となる燃料配管４０内の領域、又は、パワーユニット１０内において、液体燃料が供給される燃料消費部までの流路となる内部配管１１内の領域を含む。このように規定されることにより、パワーユニット１０の熱を効率よく受熱することができる燃料貯留部２０を実現することができる。
【００７９】
また、第１実施形態の変形例４に係る燃料貯留システム５００の制御方法によれば、燃料貯留部２０とパワーユニット１０とが断熱材５０１で覆われていてもよい。これにより、燃料貯留部２０内に貯留された液体燃料をより効率的に加熱することができ、かつ、加熱された液体燃料の温度をより長く保持することができる。
【００８０】
また、第１実施形態の変形例５に係る燃料貯留システム６００の制御方法によれば、燃料貯留部１０の少なくとも一部が断熱材で覆われていてもよい。このように、燃料貯留部２０を覆う断熱材５０１の範囲は、所望の断熱効果を実現するように適宜調整することができる。
【００８１】
また、第１実施形態、及び、変形例１〜５の燃料貯留システム１００〜６００の制御方法によれば、燃料貯留部２０は、燃料貯留用の容器、パワーユニット１０に液体燃料が供給される際の流路となる燃料配管４０内の領域、又は、パワーユニット１０内において、液体燃料が供給される流路となる内部配管１１内の領域を含んで構成される。そして、内部配管１１内の液体燃料を燃料配管４０又は容器へ移動させることにより、第１燃料貯留部１１に貯留された液体燃料の温度を制御する。または、燃料配管１１内の液体燃料を容器又は内部配管１１へ移動させることにより、燃料貯留部２０に貯留された液体燃料の温度を制御する。あるいは、容器内の液体燃料を燃料配管４０又は内部配管１１へ移動させることにより、燃料貯留部２０に貯留された液体燃料の温度を制御する。これにより、燃料貯留部２０内の液体燃料における熱分布を均一化することができるので、より正確な温度制御を可能にすることができる。また、燃料貯留部２０内の液体燃料をより効率よく全体的に加熱することができる。
【００８２】
−第２実施形態−
第２実施形態の燃料貯留システムの制御方法について説明する。なお、制御対象となる燃料貯留システムの構成は第１実施形態と同様であるので、以下では燃料貯留システム１００と表記する。また、停止シーケンスにおける処理も第１実施形態と同様であるので、その説明を省略する。
【００８３】
第２実施形態の燃料貯留システム１００の制御方法では、パワーユニット１０の起動シーケンス開始後に、燃料貯留部２０内の液体燃料の温度を制御する。以下では、起動シーケンス時に液体燃料の温度を制御するために実行される液体燃料温度制御処理（燃温制御処理）の詳細について説明する。
【００８４】
＜燃温制御処理（起動シーケンス）＞
図１０は、本実施形態における燃温制御処理の流れを示すフローチャートである。燃温制御処理は、コントローラ１において実行されるようにプログラムされている。
【００８５】
ステップＳ２０では、コントローラ１が、燃料電池１０ａの起動シーケンスが実行されたか否かを判定する。起動シーケンスは、ドライバによる車両を起動させようとする起動操作に基づいて開始され、最終的に燃料電池１０ａに車両を駆動可能な電力を発電させるための処理である。
【００８６】
起動シーケンスが開始されたか否かは、例えば、ドライバの起動意思に基づくキー操作により車両システムをＯＮした場合に、燃料電池１０ａに対する起動指令が生成されたか否かによって判定することができる。また例えば、燃料電池１０ａの発電を開始させるための具体的な処理、例えばアノード極への燃料ガスの供給を開始するための処理が実行されたか否かにより判定されてもよい。
【００８７】
起動シーケンスが開始されたと判定された場合は、ステップＳ２１の処理が実行される。一方、起動シーケンスが開始されていない場合は、起動シーケンスが開始されるまで、ステップＳ２１の処理が一定のサイクルで繰り返し実行される。
【００８８】
ステップＳ２１では、コントローラ１が、燃料貯留部２０の温度Ｔｇを取得する。本ステップでは燃料貯留部２０には第１実施形態において説明した停止シーケンスを経た液体燃料が貯留されているので、コントローラ１は、温度センサ２１が計測した燃料貯留部２０内の液体燃料の温度を取得する。コントローラ１は、燃料貯留部２０内の液体燃料の温度を取得した後、ステップＳ２２の処理を実行する。
【００８９】
ステップＳ２２では、コントローラ１が、燃料貯留部２０に液体燃料を貯留し続けてもよいか否かを判定するために、ステップＳ２１で取得した温度Ｔｇと予め定めた所定値である上限温度Ｔｓ３とを比較する。上限温度Ｔｓ３は、液体燃料の沸点とほぼ同等若しくは若干低い値に設定される。
【００９０】
ここで、燃料電池１０ａは、起動シーケンスが開始されているので、発電量が増加するのに伴い発熱量が増加する。そのため発熱量が増加するのに応じて燃料貯留部２０も加熱され始めるので、その内部に貯留された液体燃料の温度も上昇していく。燃料貯留部２０に貯留された液体燃料の温度が沸点に到達すれば、燃料貯留部２０内で沸騰してタンクを損傷させる虞がある。この虞を回避するため、本実施形態では、燃料貯留部２０へ液体燃料を貯留できる上限温度を液体燃料の沸点近傍の温度に設定し、Ｔｇ＜Ｔｓ３が成立する場合にのみ燃料貯留部２０内の液体燃料の貯留を継続する。本実施形態におけるＴｇ３は、例えば沸点の８０％に相当する温度に設定される。
【００９１】
燃料貯留部２０内の液体燃料の温度が上限温度Ｔｓ３より小さく、Ｔｇ≧Ｔｓ３が成立しない場合は、液体燃料が沸騰する虞がないので、ステップＳ２３の処理を実行して、起動シーケンスにおいて通常使用する分の液体燃料を使用（燃料電池１０ａに供給）する。なお、起動シーケンスの開始直後に燃料貯留部２０内の液体燃料が沸点近傍まで上昇していることは通常ないので、燃温制御処理の１サイクル目から燃料電池１０ａの温度がＴｓ３に到達するまでの所定時間においては、サイクル毎にステップＳ２３の処理が実行される。なお、液体燃料をサイクル毎に使用する必要は必ずしもなく、燃料電池１０ａに供給する必要がない場合は燃料貯留部３０等に排出してもよい。
【００９２】
燃料貯留部２０内の液体燃料の温度が上限温度Ｔｓ３より大きく、Ｔｇ≧Ｔｓ３が成立する場合は、コントローラ１は、液体燃料が沸騰する虞を回避するために続くステップＳ２４の処理を実行する。
【００９３】
ステップＳ２４では、コントローラ１は、燃料貯留部２０内の液体燃料が所定量以下になるまで、当該液体燃料を強制的に使用、または燃料貯留部３０等に排出する。ここでの所定量は、例えば、液体燃料が燃料貯留部２０内で沸騰（突沸）しても、燃料貯留部２０を損傷させる虞がないと判断できる量以下に設定される。燃料貯留部２０の液体燃料が使用又は排出され、所定量以下となった時点で、起動シーケンスにかかる燃温制御処理は終了する。
【００９４】
以上説明した起動シーケンスに係る燃温制御処理の制御結果の一例について図４を用いて説明する。
【００９５】
図４は、燃温制御処理を説明するためのタイムチャートである。横軸は時間ｔを表し、縦軸は燃料貯留部２０内の温度と液体燃料量を表している。また、実線は燃料貯留部２０の温度変化の一例、点線は燃料貯留部２０内の液体燃料量の変化の一例を表している。
【００９６】
時刻ｔ１において起動シーケンスが開始される。この時、燃料貯留部２０には、上述の停止シーケンスにおいて沸点近傍の温度（Ｔｓ２）にて貯留された液体燃料が、外気温等の影響により温度が若干低下しているものの、粘性の悪化が生じない程度の高温状態にて保持されている。したがって、車両の停止時に温度制御された高温の液体燃料を使用して燃料電池１０ａを起動させることができる。
【００９７】
時刻ｔ１からｔ２にかけては燃料電池１０ａの発電量及び発熱量が増加するのに応じて液体燃料の温度が上昇する。しかしながら、上述のステップＳ２４の処理において、遅くとも液体燃料がＴｓ１に達して沸騰する前に燃料貯留部２０内の液体燃料がその外部に強制排出されるので、時刻ｔ２時点における燃料貯留部２０内の液体燃料量はほぼゼロになっている。これにより、燃料貯留部２０内において液体燃料が沸騰することによって、燃料貯留部２０が損傷する虞を排除することができている。
【００９８】
以上、第２実施形態の燃料電池システム１００の制御方法によれば、パワーユニット１０の起動時に燃料貯留部２０の温度が所定の温度となった場合は、燃料貯留部２０に貯留された液体燃料量を所定量以下にする。これにより、燃料貯留部２０内において液体燃料が沸騰することによって、燃料貯留部２０が損傷する虞を排除することができている。
【００９９】
以上、本発明の実施形態及びその変形例について説明したが、本発明は、上述した一実施形態及びその変形例に限定されることはない。
【０１００】
例えば、上述した燃温制御処理においては、燃料貯留部２０、及び、その内部に貯留された液体燃料の温度を温度センサ２１を用いて検知していたが必ずしもこのような制御方法に限定されない。例えば、起動シーケンスや停止シーケンスが開始してからの経過時間に基づいて燃料貯留部２０の温度を推定してもよい。その場合の推定温度は、外気温等の影響を考慮して補正されてもよい。またさらに、燃温制御処理は、燃料貯留部２０の温度ではなく、経過時間にのみ基づいて実行されてもよい。その場合の処理方法を図１１を用いて説明する。
【０１０１】
図１１は、経過時間にのみ基づいて実行される燃温制御処理の一例を説明するための図である。同図は、横軸が停止シーケンスが開始された後の時間経過を示し、縦軸が燃料貯留部２０内の液体燃料の温度を示している。図１１（ａ）は従来例を示している。従来例では停止シーケンスの開始後に液体燃料を加熱することはないので、燃温制御処理は実行されない。したがって、液体燃料の温度は時間経過とともに低下していく。
【０１０２】
図１１（ｂ）は、第１及び第２実施形態における燃温制御処理の一例を示している。図示する一点鎖線が示すとおり、第１及び第２実施形態における燃温制御処理では、液体燃料の温度から液体燃料の温度が低下していることを検知し、それに基づいて液体燃料を加熱している。
【０１０３】
図１１（ｃ）は、経過時間にのみ基づいて実行される燃温制御処理の一例を示している。図示する一点鎖線が示すとおり、液体燃料の温度ではなく、停止シーケンスが開始してからの経過時間に基づいて、所定時間が経過したタイミングで液体燃料を加熱するように制御することもできる。なお、外気温を考慮し、車両状態と経過時間を考慮した温度変化を予め実験等により把握しておくことで、より精度の高い燃温制御を実現することができる。
【０１０４】
また、パワーユニット１０の一態様として説明した燃料電池１０ａは、ＳＯＦＣにより実現される旨説明したが、必ずしもこれに限定されない。燃料電池１０ａは、液体燃料を直接、又は間接的に消費する限りにおいてはその態様を限定する必要はなく、例えば固体高分子形燃料電池（PEFC; Polymer Electrolyte Fuel Cell）等であってもよい。
【０１０５】
以上、上記実施形態は本発明の適用例の一部を示したに過ぎず、本発明の技術的範囲を上記実施形態の具体的構成に限定する趣旨ではない。また、上記実施形態及び変形例は、矛盾が生じない範囲で適宜組み合わせ可能である。
【符号の説明】
【０１０６】
１０…パワーユニット
１０ａ…燃料電池
１０ｂ…内燃機関
２０…第１燃料貯留部（燃料貯留部、サブ貯留部）
３０…第２燃料貯留部（燃料貯留部、メイン貯留部）
１００、２００、３００、４００、５００、６００…燃料貯留システム
３０１…ヒータ
【図１】
2019067592.tif 000003
【図２】
2019067592.tif 000004
【図３】
2019067592.tif 000005
【図４】
2019067592.tif 000006
【図５】
2019067592.tif 000007
【図６】
2019067592.tif 000008
【図７】
2019067592.tif 000009
【図８】
2019067592.tif 000010
【図９】
2019067592.tif 000011
【図１０】
2019067592.tif 000012
【図１１】
2019067592.tif 000013